(57)【要約】【課題】各種通信装備が設置された基地局などの室内空間に配置されて熱の発生により誤動作が発生し得る通信装備を冷却させてその作動の安全性を図れる通信装備用冷房装置などを提供する。【解決手段】基地局の室内に配置され、冷却水の貯蔵タンクと、貯蔵タンクの吐出口から延びた冷却水配管上に設置され貯蔵タンク内の冷却水を循環させるように貯蔵タンク側に並列に接続される一対の循環ポンプと、循環ポンプの吐出口から延びた配管を介して連通された室内熱交換器と、かかる室内熱交換器に近接して配置された室内送風器からなる室内器モジュールと、基地局の室外に配置され室内熱交換器の吐出口側から延びた冷却水配管を介して連通された室外熱交換器と、かかる室外熱交換器に近接して配置された室外送風器と、室外熱交換器の吐出口側から延びた冷却水配管に直列に接続される一対の冷却器からなる室外器モジュールとを含む通信装備用冷房装置などを提供する。【選択図】図１
2008530509.tif 000002
【特許請求の範囲】
【請求項１】
通信装置が設置された基地局の室内に配置され、冷却水が貯蔵されている貯蔵タンクと、貯蔵タンクの吐出口から延びた冷却水配管上に設置されて貯蔵タンク内の冷却水を循環させるように貯蔵タンク側に並列に接続されている一対の循環ポンプと、循環ポンプの吐出口から延びた配管を介して連通された室内熱交換器と、このような室内熱交換器に近接して配置された室内送風器からなる室内器モジュールと、
前記基地局の室外に配置され、前記室内熱交換器の吐出口側から延びた冷却水配管を介して連通された室外熱交換器と、このような室外熱交換器に近接して配置された室外送風器と、室外熱交換器の吐出口側から延びた冷却水配管に直列に接続されている一対の冷却器からなる室外器モジュールとを含み、
前記室外器モジュールの各冷却器は冷却器用冷媒を圧縮させる圧縮器と、圧縮器に冷媒配管を介して連通された凝縮器と、凝縮器に冷媒配管を介して連通されたレシーバドライヤと、内部に熱交換用チューブが内蔵され、この熱交換用チューブに冷却水配管が連通される熱交換器と、レシーバドライヤ及び熱交換器の間の冷媒配管上に設置された膨脹弁とからなることを特徴とする通信装置用冷房装置。
【請求項２】
前記基地局の室内に室内温度感知センサが設置され、前記基地局の室外に室外温度感知センサが設置され、前記冷却水配管の室外器側に引き込まれる部分に冷却水温度感知センサが設置されることを特徴とする請求項１に記載の通信装置用冷房装置。
【請求項３】
請求項１又は請求項２による通信装置用冷房装置の冷房制御方法であって、
室内熱交換器及び冷却器の制御方法、及び室外熱交換器の制御方法からなり、
前記室内熱交換器及び冷却器の制御方法は、
前記室内温度感知センサにより室内温度を測定する第１段階と、
前記室内温度が第１設定値より小さいかを比較及び判断して、室内温度が第１設定値よりも小さければ冷房装置全体をオフさせ、室内温度が第１設定値よりも大きければ室内熱交換器の作動をオンさせる第２段階と、
前記室内温度が第１設定値以上であり、第２設定値よりも小さいかを比較判断して室内温度が第１設定値及び第２設定値の間の範囲内にあれば前記第１段階にリターンさせ、室内温度が第２設定値よりも大きければ第１及び第２冷却器の何れかの冷却器と室内熱交換器の作動をオンさせる第３段階と、
前記室内温度が第２設定値より大きく、第３設定値より小さいかを比較及び判断して室内温度が第２設定値及び第３設定値の間の範囲内にあれば前記第１段階にリターンさせる第４段階と、
前記室内温度が第３設定値よりも大きければ第１及び第２冷却器の両方と室内熱交換器の作動をオンさせる第５段階と、
前記室内温度が第３設定値より小さいかを比較判断して、室内温度が第３設定値よりも小さければ前記第１段階にリターンさせ、前記室内温度が第３設定値よりも大きければ前記第５段階にリターンさせる第６段階とからなり、
前記室外熱交換器の制御方法は、
前記室外温度感知センサ及び冷却水温度感知センサにより基地局の室外温度及び冷却水温度を個別に測定する第１ａ段階と、前記室外温度が冷却水温度より小さいかを比較及び判断する第２ａ段階と、室外温度が冷却水温度よりも小さければ室外熱交換器をオンさせる第３ａ段階と、室外温度が冷却水温度よりも大きければ室外熱交換器をオフさせる第４ａ段階とからなることを特徴とする通信装置用冷房装置の冷房制御方法。
【請求項４】
前記室外熱交換器制御方法の第２ａ段階後に冷却水温度が５℃より小さいかを比較判断して冷却水温度が５℃よりも小さければ室外熱交換器をオフさせ、冷却水温度が５℃よりも大きければ室外熱交換器をオンさせる段階を更に含むことを特徴とする請求項３に記載の通信装置用冷房装置の冷房制御方法。
【請求項５】
前記室外熱交換器の制御方法の第２ａ段階後に冷却水温度が５℃より小さいかを比較判断して冷却水温度が５℃よりも小さければ室外熱交換器をオフさせ、冷却水温度が５℃以上であり、１０℃よりも小さければ第１ａ段階にリターンさせ、冷却水温度が１０℃以上であれば室外熱交換器をオンさせる段階を更に含むことを特徴とする請求項３に記載の通信装置用冷房装置の冷房制御方法。
【発明の詳細な説明】
【技術分野】
【０００１】
本発明は、冷房装置に関し、更に詳しくは、各種通信装置が設置された基地局、ブースなどの室内空間に配置されて熱の発生により誤動作が発生し得る通信装置を冷却させてその作動の安全性を図れる通信装置用冷房装置及びその冷房制御方法に関する。
【背景技術】
【０００２】
一般に、冷房装置(ａｉｒ ｃｏｎｄｉｔｉｏｎｅｒ)は冷媒が蒸発する際に周囲から熱を奪う蒸発熱を用いるもので、冷媒としては通常、低温でも蒸発し易いアンモニア、フレオン、共沸混合冷媒、クロロメチルなどのような液体を用いる。
【０００３】
このような通常の冷房装置は、圧縮器で高圧に圧縮された気体状態の冷媒が凝縮器を経て、外気との熱交換により高圧の液体状態の冷媒に凝縮された後、膨脹弁または毛細管などを介して低圧の液体状態の冷媒に変換される。次に、低圧の液体状態の冷媒は蒸発器に流入して内気との熱交換により蒸発した後、再び圧縮器に流入して前述した過程のサイクルが循環する。このとき、蒸発器で発生した冷媒の蒸発熱により冷却した空気は送風ファンにより冷房しようとする所定の空間または所定の対象体に送風されて冷房を行う。
【０００４】
すなわち、このような一般の冷房装置は液化及び蒸発などのような相変化が容易な冷媒を用いて冷房しようとする所定の空間や所定の対象体を冷却させる。
【０００５】
特に、通信基地局または通信車両などの場合、その内部に多数の有無線通信装置が設置され、このような通信装置は頻繁な熱の発生により接触不良及び機器の故障などのような各種の誤動作を誘発する恐れがあるので、四季を通じて常に冷房させなければ通信装置内で発生する熱による誤動作を最小化できなくなる。
【特許文献１】特開２００２‐１５８４７８号公報
【発明の開示】
【発明が解決しようとする課題】
【０００６】
しかしながら、従来の通信装置用冷房装置は、外部の温度に応じた自然状態の冷気を適切に利用できず、単に外部電力により駆動される方式を採用するため、電力の浪費が非常に深刻であるという短所があった。
【０００７】
また、従来の通信装置用冷房装置に用いられる各種冷媒は価格が非常に高いうえ、環境に悪影響を及ぼすという短所があった。
【０００８】
そのため、本出願人は前述した諸問題を改善するために、韓国特許出願第１０−２００２−４１９０５号(名称:多用途冷房装置及びその冷房制御方法)を開示している。
【０００９】
しかしながら、このタイプの冷房装置においては、何れか一方の構成部品に故障が発生する場合に故障中には室内空間の冷房状態を維持できなくなるという短所があった。
【課題を解決するための手段】
【００１０】
上記目的を達成するための本発明に係る通信装置用冷房装置は、通信装置が設置された基地局の室内に配置され、冷却水が貯蔵されている貯蔵タンクと、貯蔵タンクの吐出口から延びた冷却水配管上に設置されて貯蔵タンク内の冷却水を循環させるように貯蔵タンク側に並列に接続されている一対の循環ポンプと、循環ポンプの吐出口から延びた配管を介して連通された室内熱交換器と、このような室内熱交換器に近接して配置された室内送風器からなる室内器モジュールと、基地局の室外に配置され、室内熱交換器の吐出口側から延びた冷却水配管を介して連通された室外熱交換器と、このような室外熱交換器に近接して配置された室外送風器と、室外熱交換器の吐出口側から延びた冷却水配管に直列に接続されている一対の冷却器からなる室外器モジュールとを含み、室外器モジュールの各冷却器は冷却器用冷媒を圧縮させる圧縮器と、圧縮器に冷媒配管を介して連通された凝縮器と、凝縮器に冷媒配管を介して連通されたレシーバドライヤと、内部に熱交換用チューブが内蔵され、この熱交換用チューブに冷却水配管が連通される熱交換器と、レシーバドライヤ及び熱交換器の間の冷媒配管上に設置された膨脹弁とからなる。
【００１１】
好ましくは、本発明の通信装置用冷房装置は、基地局の室内に室内温度感知センサが設置され、基地局の室外に室外温度感知センサが設置され、冷却水配管の室外器側に引き込まれる部分に冷却水温度感知センサが設置されることを特徴とする。
【００１２】
また、本発明の通信装置用冷房装置の冷房制御方法は、室内熱交換器及び冷却器の制御方法、及び室外熱交換器の制御方法からなり、室内熱交換器及び冷却器の制御方法は、室内温度感知センサにより室内温度を測定する第１段階と、室内温度が第１設定値より小さいかを比較及び判断して、室内温度が第１設定値よりも小さければ冷房装置全体をオフさせ、室内温度が第１設定値よりも大きければ室内熱交換器の作動をオンさせる第２段階と、室内温度が第１設定値以上であり、第２設定値よりも小さいかを比較判断して室内温度が第１設定値及び第２設定値の間の範囲内にあれば前記第１段階にリターンさせ、室内温度が第２設定値より大きければ第１及び第２冷却器の何れかの冷却器と室内熱交換器の作動をオンさせる第３段階と、室内温度が第２設定値より大きく、第３設定値より小さいかを比較及び判断して室内温度が第２設定値及び第３設定値の間の範囲内にあれば前記第１段階にリターンさせる第４段階と、室内温度が第３設定値よりも大きければ第１及び第２冷却器の両方と室内熱交換器の作動をオンさせる第５段階と、室内温度が第３設定値より小さいかを比較判断して、室内温度が第３設定値よりも小さければ前記第１段階にリターンさせ、前記室内温度が第３設定値よりも大きければ前記第５段階にリターンさせる第６段階とからなり、室外熱交換器の制御方法は、室外温度感知センサ及び冷却水温度感知センサにより基地局の室外温度及び冷却水温度を個別に測定する第１ａ段階と、室外温度が冷却水温度より小さいかを比較及び判断する第２ａ段階と、室外温度が冷却水温度よりも小さければ室外熱交換器をオンさせる第３ａ段階と、室外温度が冷却水温度よりも大きければ室外熱交換器をオフさせる第４ａ段階からなる。
【００１３】
好ましくは、室外熱交換器の制御方法の第２ａ段階後に冷却水温度が５℃より小さいかを比較判断して冷却水温度が５℃よりも小さければ室外熱交換器をオフさせ、冷却水温度が５℃よりも大きければ室外熱交換器をオンさせる段階を更に含む。
【発明の効果】
【００１４】
本発明によれば、外部温度に応じた自然状態の冷気を適切に用いることで、電力の浪費を最小化できるほか、冷房効率を最大化し、相対的に安価な冷媒を用いて維持コストを最小化できるという効果を奏する。
【００１５】
また、本発明は２重の冷却水循環構造及び２重の室外熱交換構造を採用することで、常に一定に通信装置の冷房状態を維持できるという長所がある。
【発明を実施するための最良の形態】
【００１６】
以下、添付する図面を参照しつつ、本発明の好ましい実施例について詳細に説明する。
【００１７】
図１は、本発明の一実施例に係る通信装置用冷房装置を示す。
【００１８】
図示のように、本発明の通信装置用冷房装置は、基地局１００の室内空間に配置された室内器モジュール１０及び基地局１００の室外空間に配置された室外器モジュール２０を含む。
【００１９】
室内器モジュール１０は冷却水が貯蔵されている貯蔵タンク１１と、貯蔵タンク１１の吐出口から延びた冷却水配管を介して連通された循環ポンプ１２と、循環ポンプ１２の吐出口から延びた配管を介して連通された室内熱交換器１３と、室内熱交換器１３に近接して配置された室内送風器１４とからなる。
【００２０】
貯蔵タンク１１には、その内部に本発明の冷房装置で冷媒としての機能を行う物質が貯蔵され、このような物質は相変化が不要な液体状態の冷却水であることが好ましい。
【００２１】
また、このような貯蔵タンク１１の内、外表面は外部に熱を放出したり、外部から熱を吸収したりしないように断熱材からなることが好ましい。
【００２２】
一方、前述したように、本発明の冷媒として作用する冷却水は相変化を起こす必要がなく、周辺から容易に入手できるため、経済性及び非常に環境に優しいという特徴がある。
【００２３】
一対の循環ポンプ１２は、貯蔵タンク１１の内部に貯蔵されている冷却水を循環させるように貯蔵タンク１１の吐出口側に並列に連通される。
【００２４】
各循環ポンプ１２はその流入口及び流出口側に第１及び第２調節弁１２ａ、１２ｂが個別に設置されて、貯蔵タンク１１に流入する冷却水の流量及び貯蔵タンク１１から流出される冷却水の流量を適切に調節するように構成される。
【００２５】
このように本発明は一対の循環ポンプ１２を並列に設置した２重の冷却水循環構造を採用することで、何れか一側の循環ポンプ１２に故障が発生しても他側の循環ポンプ１２を作動させることができるので、常に一定に基地局１００内の通信装置の冷房を維持できるという特徴がある。
【００２６】
室内熱交換器１３は、循環ポンプ１２の吐出口から延びた冷却水配管１５に連通される。
【００２７】
室内送風器１４は、室内熱交換器１３の熱交換が行われる伝熱面上に近接して配置されて、室内熱交換器１３の熱交換作用により形成された冷気を通信装置５０側に送風するように構成される。
【００２８】
また、室内送風器１４は室内熱交換器１３と室内の空気との接触及び熱交換効率を増大させる役割を果たす。
【００２９】
一方、このような室内器モジュール１０は、図１に示すように、モジュールケース１７内に一体に備えられる形態で形成され得る。
【００３０】
また、室内熱交換器１３は、基地局またはブース１００の室内空間で通信装置５０側に近接して配置される一方、前述した貯蔵タンク１１及び循環ポンプ１２は基地局またはブース１００のサイズ及び内部の冷房を要する機器の配置など基地局１００の現場の条件や設置条件などを考慮して基地局またはブース１００の内部または外部の何れに設置しても構わない。
【００３１】
室外器モジュール２０は、基地局１００の室外に配置された室外熱交換器２１と、この室外熱交換器２１に近接して配置された室外送風器２２と、室外熱交換器２１の吐出口側から延びた冷却水配管１５に直列に接続されている一対の冷却器３０とからなる。
【００３２】
室外熱交換器２１は、室内熱交換器１３の吐出口側から延びた冷却水配管１５を介して連通される。
【００３３】
室外送風器２２は、室外熱交換器２１の熱交換が発生する伝熱面に近接して配置され、室外熱交換器２１と外部空気の接触及び熱交換効率を増大させるように構成される。
【００３４】
第１及び第２冷却器３０、４０は、室外熱交換器２１の吐出口から延びた冷却水配管１５上に直列に接続されて設置され、冷却器用冷媒を圧縮させる圧縮器３１、４１と、圧縮器３１、４１に冷媒配管３５、４５を介して連通された凝縮器３２、４２と、凝縮器３２、４２に冷媒配管３５、４５を介して連通されたレシーバドライヤ３３、４３と、内部に熱交換用チューブ３４ｂ、４４ｂが内蔵された熱交換器３４、４４と、レシーバドライヤ３３、４３及び熱交換器３４、４４の間の冷媒配管３５、４５上に設置された膨脹弁３６、４６とからなる。このような冷却器３０、４０に用いられる冷媒は、フレオン、アンモニア、クロロメチル、共沸混合冷媒などのような通常の冷媒である。
【００３５】
圧縮器３１、４１は、気化した冷媒を高圧に圧縮する通常の圧縮器である。
【００３６】
凝縮器３２、４２は、圧縮器３１、４１から吐出された高圧の冷媒を凝縮して液化させる熱交換器の一種である。
【００３７】
レシーバドライヤ３３、４３は、凝縮器３２、４２から吐出された液化した高圧の冷媒を臨時的に貯蔵し、水分や埃などを除去する。
【００３８】
熱交換器３４、４４は、ケース３４ａ、４４ａ及び熱交換用チューブ３４ｂ、４４ｂからなる。このような第１及び第２冷却器３０、４０の熱交換用チューブ３４ｂ、４４ｂは冷却水配管１５上に直列に連通される。各ケース３４ａ、４４ａはその一側に圧縮器３１、４１側に連通された冷媒配管３５、４５が連通され、その他側にレシーバドライヤ３３、４３側に連通された冷媒配管３５、４５が連通されて冷媒がケース３４ａ、４４ａに流入及び流出されるように構成される。
【００３９】
膨脹弁３６、４６は、レシーバドライヤ３３、４３から吐出された高圧の液状冷媒を急激に膨脹させて高温、低圧の霧状態の冷媒に変化させる。
【００４０】
このような冷却器３０、４０の構成により、冷却器３０、４０の冷媒配管３５、４５に沿って循環する冷媒は圧縮器３１、４１で高圧に圧縮されて凝縮器３２、４２で凝縮された後、熱交換器３４、４４のケース３４ａ、４４ａ内に流入して熱交換器３４、４４の熱交換用チューブ３４ｂ、４４ｂに流入する冷却水と熱交換を行う。このような熱交換作用により冷媒が蒸発すると同時に、冷却水は所定温度に冷却される。
【００４１】
このように本発明の室外器モジュール２０は、冷却水配管１５の室外側に一対の冷却器３０、４０を直列に配置する２重の室外熱交換構造を採用することで、何れか一側の冷却器３０に故障が発生しても他側の冷却器４０を作動させることができるので、冷却水の冷却を常に一定に維持できるという特徴がある。
【００４２】
一方、室外器モジュール２０は、図１に示すように、モジュールケース２７内に一体に備えられる形態で形成され得る。
【００４３】
好ましくは、本発明の多用途冷房装置は、その冷房作用を効率よく制御するために、基地局１００の室内側には室内温度感知センサ５１が設置され、基地局１００の室外側に室外温度感知センサ５２が設置され、冷却水配管１５の室外熱交換器２１に流入する部分の上に冷却水温度感知センサ５３が設けられることもできる。
【００４４】
このような室内温度感知センサ、室外温度感知センサ、冷却水温度感知センサ５１、５２、５３のそれぞれ感知された温度を比較判断することで、室内熱交換器１３、室外熱交換器２１及び冷却器３０を選択的に駆動させて基地局１００の内部を冷房させる。
【００４５】
図２及び図３は、本発明の冷房制御方法を示す順序図である。
【００４６】
図２は、本発明の冷房装置の室内熱交換器１３及び冷却器３０、４０の制御方法を示す。
【００４７】
まず、室内温度感知センサ５１により室内温度Ｔｉｎを測定する(Ｓ１)。
【００４８】
このように測定された室内温度Ｔｉｎが第１設定値Ｔｒ１より小さいかを比較及び判断して(Ｓ２)、室内温度Ｔｉｎが第１設定値Ｔｒ１よりも小さければ本発明の冷房装置全体をオフさせる(Ｓ３)。
【００４９】
その次に、室内温度Ｔｉｎが第１設定値Ｔｒ１以上であり、第２設定値Ｔｒ２より小さいかを比較判断して(Ｓ４)室内温度Ｔｉｎが第１設定値及び第２設定値Ｔｒ１、Ｔｒ２の間の範囲内にあれば室内熱交換器１３の作動をオンさせる(Ｓ５)。
【００５０】
次に、室内温度Ｔｉｎが第２設定値Ｔｒ２より大きく、第３設定値Ｔｒ３より小さいかを比較及び判断して(Ｓ６)室内温度Ｔｉｎが第２設定値及び第３設定値Ｔｒ２、Ｔｒ３の間の範囲内であれば第１及び第２冷却器３０、４０の何れかの冷却器と室内熱交換器１３の作動をオンさせ(Ｓ７)、室内温度Ｔｉｎが第３設定値Ｔｒ３よりも大きければ第１及び第２冷却器３０、４０の両方と室内熱交換器１３の作動をオンさせる(Ｓ８)。
【００５１】
その後、室内温度Ｔｉｎが第３設定値Ｔｒ３より小さいかを比較判断して、室内温度Ｔｉｎが第３設定値Ｔｒ３よりも小さければ前述したＳ１段階にリターンさせ、室内温度Ｔｉｎが第３設定値Ｔｒ３よりも大きければ前述したＳ８段階にリターンさせる(Ｓ９)。
【００５２】
一方、前述したＳ３、Ｓ５、Ｓ７、Ｓ９段階は室内温度Ｔｉｎの条件に応じてＳ１段階にリターンさせて、その前の段階を繰り返すことで本発明の冷房装置の作動に応じて変化する基地局１００内の室内温度にリアルタイムで対応させることができるという特徴がある。
【００５３】
図３は、本冷房装置の室外熱交換器２１の制御方法を示す順序図である。
【００５４】
一方、室内熱交換器１３及び冷却器３０、４０の制御方法は、室内温度Ｔｉｎが変数になって行われるのに対し、室外熱交換器２１の制御方法は室外温度及び冷却水温度Ｔｏｕｔ、Ｔｃが変数になって行われる。すなわち、室外熱交換器２１の制御方法は、前述した室内熱交換器１３及び冷却器３０、４０の制御方法に対して独立して行われる。
【００５５】
まず、室外温度感知センサ５２及び冷却水温度感知センサ５３により、基地局１００の室外温度Ｔｏｕｔ、Ｔｃを個別に測定する(Ｓ２０)。
【００５６】
その後、室外温度Ｔｏｕｔが冷却水温度Ｔｃより小さいかを比較及び判断して(Ｓ２１)、室外温度Ｔｏｕｔが冷却水温度Ｔｃよりも小さければ室外熱交換器２１をオンさせ(Ｓ２３)、室外温度Ｔｏｕｔが冷却水温度Ｔｃよりも大きければ室外熱交換器２１をオフさせる(Ｓ２４)。
【００５７】
一方、Ｓ２３及びＳ２４段階は再びＳ２０段階に戻り、その前の段階を連続的に繰り返すことで、基地局１００の室外温度の変化にリアルタイムで対応させることができる。
【００５８】
好ましくは、Ｓ２１段階後に冷却水温度Ｔｃが５℃より小さいかを比較判断して冷却水温度Ｔｃが５℃よりも小さければ室外熱交換器２１をオフさせ、冷却水温度Ｔｃが５℃よりも大きければ室外熱交換器２１をオンさせる段階(Ｓ２２)を更に含む。
【００５９】
このようなＳ２２段階は冷却水温度Ｔｃが５℃より小さい場合には、無条件に室外熱交換器２１の作動をオフさせるが、これは冬季の低い室外温度により冷却水が急激に冷却されて冷却水配管１５が凍破するのを防止するためである。
【００６０】
あるいはまた、Ｓ２１段階後には、図４に示すように、冷却水温度Ｔｃが５℃より小さいかを比較判断して冷却水温度Ｔｃが５℃よりも小さければ室外熱交換器２１をオフさせる段階(Ｓ２２)と、冷却水温度Ｔｃが５℃以上であり、１０℃よりも小さければ前述したＳ２０段階にリターンさせ、冷却水温度Ｔｃが１０℃以上であれば室外熱交換器２１をオンさせる段階(Ｓ２５)を更に含む。
【００６１】
このようなＳ２５段階は、室外熱交換器２１の頻繁なオン・オフ作動時に室外熱交換器２１の送風器２２側に過負荷、振動または各種騷音などが発生することを防止するためである。
【００６２】
ここで、基地局１００の室内の第１〜第３設定値Ｔｒ１、Ｔｒ２、Ｔｒ３は略２５℃、２６.５℃、２７.５℃に設定され得るが、本発明はこれに限定されるのではなく、基地局１００の室内に設置された各種通信装置によって多様に変更可能である。
【００６３】
以下、上記のように構成される本発明の多用途冷房装置の作用について詳細に説明する。
【００６４】
まず、室内温度感知センサ５１により感知された室内温度Ｔｉｎに応じて、図２に示すように、本発明の冷房装置の作動が制御された後、対象体１００の内部に冷房が必要な場合、貯蔵タンク１１内に貯蔵されている冷却水は循環ポンプ１２により室内熱交換器１３側に流入してから熱交換されて、基地局１００内部の温度を所定温度に冷房する。
【００６５】
次に、室内熱交換器１３で熱交換されて基地局１００内部の熱を吸収した冷却水は室外熱交換器２１を通過する。このとき、室外温度感知センサ５２及び冷却水温度感知センサ５３により感知された室外温度Ｔｏｕｔと冷却水温度Ｔｃを比較及び判断することで、図３に示すように、室外熱交換器２１の作動有無が決定され、これにより冷却水は室外熱交換器２１で自然の冷気と熱交換されずに所定の温度に冷却されるか、室外熱交換器２１で熱交換されることなく、第１及び第２冷却器３０、４０側にバイパスされる。
【００６６】
このようにバイパスされた冷却水は冷却器３０、４０の熱交換器３４、４４を経て、図２に示すように、室内温度Ｔｉｎに応じて各冷却器３０、４０の作動有無が決定され、これにより冷却水は冷却器３０、４０の熱交換器３４、４４で熱交換されて所定温度に冷却されるか、冷却器３０、４０で熱交換されずに貯蔵タンク１０にバイパスされ得る。
【００６７】
冷却器３０、４０を通過した冷却水は、再び貯蔵タンク１１内に貯蔵され、再び循環ポンプ１２により室内熱交換器１３に供給されて室内熱交換器１３で基地局１００の室内空気と熱交換しながら、基地局１００の内部を所定温度に冷房させる。
【００６８】
従って、本発明の通信装置用冷房装置及びその冷房制御方法は、室内熱交換器１３により基地局１００の室内空間の熱を吸収した冷却水を所望の温度以下に冷却させるために、室内・外温度及び冷却水温度に応じて室内熱交換器１３、室外熱交換器２１、及び一対の冷却器３０、４０を選択的に作動させる。これにより、自然の冷気を積極的に用いるとともに、冷却器３０、４０の使用を最小化することで冷媒及び電力の浪費を防ぐという特徴がある。
【００６９】
また、本発明は、一対の循環ポンプ１２を並列に設置した２重の冷却水循環構造及び冷却水配管１５の室外側に一対の冷却器３０、４０を直列に配置する２重の室外熱交換構造を採用することで、常に一定に通信装置の冷房状態を維持できるという特徴がある。
【００７０】
以上、本発明の最も好ましい実施例について説明した。しかし、本発明は、上記記載に限定されるものではなく、特許請求の範囲の記載から把握される技術的範囲において種々の実施形態に変更可能である。
【図面の簡単な説明】
【００７１】
【図１】本発明の一実施例に係る通信装置用冷房装置を示す概略構成図である。
【図２】本発明に係る通信装置用冷房装置の室内熱交換器及び冷却器の制御方法を示す順序図である。
【図３】本発明に係る通信装置用冷房装置の室外熱交換器の制御方法を示す順序図である。
【図４】本発明の通信装置用冷房装置の室外熱交換器の他の実施例に係る制御方法を示す順序図である。
【図１】
2008530509.tif 000003
【図２】
2008530509.tif 000004
【図３】
2008530509.tif 000005
【図４】
2008530509.tif 000006
【国際調査報告】
2008530509.tif 000007
2008530509.tif 000008